(57)【要約】【課題】ＣＯＰを向上しつつ、湯切れを防止できる給湯装置を提供すること。【解決手段】給湯装置は、ヒートポンプユニット（５０）と貯湯タンク（１０）と沸き上げポンプ（Ｐ１）と沸き上げ回路（ＢＣ）と出湯温度センサ（Ｔ２２）と目標出湯温度決定部（１００ａ）とポンプ起動制御部（１００ｄ）とを含む。上記ポンプ起動制御部（１００ｄ）は、目標出湯温度が予め定められた閾値以下のときに、上記ヒートポンプユニット（５０）からの出湯温度を、予め定められた時間、上記目標出湯温度よりも低い第１段温度に制御した後、上記目標出湯温度に制御する二段起動を行う一方、上記目標出湯温度が予め定められた閾値を超えたときに、上記ヒートポンプユニット（５０）からの出湯温度を、最初から上記目標出湯温度に制御する一段起動を行う。【選択図】図１
2018091517.tif 000002
【特許請求の範囲】
【請求項１】
圧縮機（５１）と水熱交換器（５２）と膨脹機構（５３）と空気熱交換器（５４）とを含むヒートポンプユニット（５０）と、
貯湯タンク（１０）と、
沸き上げポンプ（Ｐ１）と、
上記貯湯タンク（１０）と沸き上げポンプ（Ｐ１）と水熱交換器（５２）の二次側通路（５２ｂ）とを環状に接続してなる沸き上げ回路（ＢＣ）と、
上記ヒートポンプユニット（５０）からの出湯温度を検出する出湯温度センサ（Ｔ２２）と、
上記ヒートポンプユニット（５０）からの出湯温度の目標出湯温度を、過去の湯の使用量に基づいて、その湯の使用量が多い程高くなるように定める目標出湯温度決定部（１００ａ）と、
上記目標出湯温度が予め定められた閾値以下のとき、あるいは、過去の湯の使用量が予め定められた閾値以下のときに、上記ヒートポンプユニット（５０）からの出湯温度を、予め定められた一定時間、上記目標出湯温度よりも低い第１段温度に制御した後、上記目標出湯温度に制御する二段起動を行う一方、上記目標出湯温度が予め定められた閾値を超えたとき、あるいは、過去の湯の使用量が予め定められた閾値を超えたときに、上記ヒートポンプユニット（５０）からの出湯温度を、最初から上記目標出湯温度に制御する一段起動を行うポンプ起動制御部（１００ｄ）と
を備えることを特徴とする給湯装置。
【請求項２】
請求項１に記載の給湯装置において、
電力契約体系における夜間においては、上記ポンプ起動制御部（１００ｄ）は二段起動を行わないで一段起動を行うことを特徴とする給湯装置。
【請求項３】
請求項１に記載の給湯装置において、
電力契約体系における昼間においては、上記ポンプ起動制御部（１００ｄ）は二段起動を行わないで一段起動を行うことを特徴とする給湯装置。
【発明の詳細な説明】
【技術分野】
【０００１】
この発明は、給湯装置に関する。
【背景技術】
【０００２】
従来、給湯装置としては、特許文献１（ＷＯ２０１５／１９８４２４Ａ１）に記載のものがある。この従来の給湯装置は、ヒートポンプユニットの圧縮機の温度が低いコールドスタート時には、ヒートポンプユニットからの温水の温度を最初は目標温度よりも低い第１段温度になるように制御し、その後、目標温度になるように沸き上げポンプを制御する二段起動を行って、ＣＯＰ（成績係数）の向上を図っている。そして、圧縮機の温度が高いホットスタート時には、最初からヒートポンプユニットからの温水の温度が目標温度になるように一段起動を行って湯量を確保するようにしている。
【先行技術文献】
【特許文献】
【０００３】
【特許文献１】国際公開番号 ＷＯ２０１５／１９８４２４Ａ１
【発明の概要】
【発明が解決しようとする課題】
【０００４】
しかしながら、上記従来の給湯装置では、ヒートポンプユニットの圧縮機の温度が低いコールドスタート時には、必要湯量に関係なく、二段起動を行っているため、湯切れ（溜められた湯量（つまり蓄熱量）が足りなくなること）がおきる場合がある。
【０００５】
そこで、この発明の課題は、ＣＯＰを向上しつつ、湯切れを防止できる給湯装置を提供することにある。
【課題を解決するための手段】
【０００６】
上記課題を解決するため、この発明の給湯装置は、
圧縮機と水熱交換器と膨脹機構と空気熱交換器とを含むヒートポンプユニットと、
貯湯タンクと、
沸き上げポンプと、
上記貯湯タンクと沸き上げポンプと水熱交換器の二次側通路とを環状に接続してなる沸き上げ回路と、
上記ヒートポンプユニットからの出湯温度を検出する出湯温度センサと、
上記ヒートポンプユニットからの出湯温度の目標出湯温度を、過去の湯の使用量に基づいて、その湯の使用量が多い程高くなるように定める目標出湯温度決定部と、
上記目標出湯温度が予め定められた閾値以下のとき、あるいは、過去の湯の使用量が予め定められた閾値以下のときに、上記ヒートポンプユニットからの出湯温度を、予め定められた一定時間、上記目標出湯温度よりも低い第１段温度に制御した後、上記目標出湯温度に制御する二段起動を行う一方、上記目標出湯温度が予め定められた閾値を超えたとき、あるいは、過去の湯の使用量が予め定められた閾値を超えたときに、上記ヒートポンプユニットからの出湯温度を、最初から上記目標出湯温度に制御する一段起動を行うポンプ起動制御部と
を備えることを特徴としている。
【０００７】
上記構成の給湯装置によれば、上記ポンプ起動制御部によって、上記目標出湯温度が予め定められた閾値以下のとき、あるいは、過去の湯の使用量が予め定められた閾値以下のときに、上記ヒートポンプからの出湯温度を、予め定められた一定時間、上記目標出湯温度よりも低い第１段温度に制御した後、上記目標出湯温度に制御する二段起動を行うので、ＣＯＰが向上する。この場合、上記目標出湯温度が予め定められた閾値以下、あるいは、過去の湯の使用量が予め定められた閾値以下であるということは、過去の湯の使用量が比較的多くないことを意味するから、その過去の湯の使用量が比較的多くないことを学習して、二段起動を行っても、貯湯量つまり蓄熱量が不足する可能性が少ない。なお、ここで、上記予め定められた一定時間とは、例えば、システムが安定すると想定される時間であって、シミュレーションまたは何回かの実際の試行によって決定されるのが好ましい。
【０００８】
一方、上記ポンプ起動制御部は、上記目標出湯温度が予め定められた閾値を超えたとき、あるいは、過去の湯の使用量が予め定められた閾値を超えたときに、上記ヒートポンプユニットからの出湯温度を、最初から上記目標出湯温度に制御する一段起動を行うので、湯切れが防止される。この場合、上記目標出湯温度が予め定められた閾値を超えたとき、あるいは、過去の湯の使用量が予め定められた閾値を超えたということは、過去の湯の使用量が比較的多いことを意味するから、その過去の湯の使用量が比較的多いことを学習して、起動の最初から一段起動を行っているから、貯湯量つまり蓄熱量が二段起動をする場合よりも多くなって、湯切れ（貯湯量つまり蓄熱量の不足）が生じることがない。
【０００９】
このように、上記ポンプ起動制御部は、上記目標出湯温度が予め定められた閾値以下のとき、あるいは、過去の湯の使用量が予め定められた閾値以下のときに、上記ヒートポンプユニットからの出湯温度の二段起動を行う一方、上記目標出湯温度が予め定められた閾値を超えたときに、あるいは、過去の湯の使用量が予め定められた閾値を超えたときに、上記ヒートポンプからの出湯温度を、最初から上記目標出湯温度に制御する一段起動を行なって、過去の湯の使用量を学習して、過去の湯の使用量に関連して、二段起動と一段起動とを使い分けているので、ＣＯＰを高くしつつ、湯切れを防止できる。
【００１０】
１実施形態では、
電力契約体系における夜間においては、上記ポンプ起動制御部は二段起動を行わないで一段起動を行う。
【００１１】
上記実施形態によれば、電力契約体系における夜間においては、上記ポンプ起動制御部は二段起動を行わないで一段起動を行うので、電気料金が安い夜間において貯湯タンクに溜める湯（熱量）を多くできて、経済的で、かつ、昼間の湯切れを防止できる。
【００１２】
なお、電力契約体系における夜間とは、電力会社が定めているもので、例えば、２３時から７時迄の間である。電力契約体系における昼間とは、例えば、７時から２３時前までの間である。
【００１３】
１実施形態では、
電力契約体系における昼間においては、上記ポンプ起動制御部は二段起動を行わないで一段起動を行う。
【００１４】
上記実施形態によれば、電力契約体系における昼間においては、上記ポンプ起動制御部は二段起動を行わないで一段起動を行う。給湯装置において、電気料金の高い昼間に湯を沸かすのは緊急にお湯を必要とする場合であるから、一段起動をすると、緊急時に、比較的多くのお湯（熱量）を溜めることができて、昼間における湯切れの発生を防止できる。
【発明の効果】
【００１５】
この発明によれば、過去の湯の使用量に関連して、二段起動と一段起動とを使い分けているので、ＣＯＰを向上しつつ、湯切れを防止できる。
【図面の簡単な説明】
【００１６】
【図１】この発明の１実施形態の給湯装置の回路図である。
【図２】上記給湯装置の沸き上げ回路を説明する図である。
【図３】上記給湯装置の二段起動と一段起動を説明するグラフである。
【発明を実施するための形態】
【００１７】
以下、この発明を図示の実施形態により詳細に説明する。
【００１８】
まず、この発明の実施形態の給湯装置のうちで、この発明に強く関係する箇所について図面を参照しながら詳細に説明し、その後、この実施形態の給湯装置のこの発明の要旨との関係が少ない箇所について簡単に説明する。
【００１９】
図１に示すように、この実施形態の給湯装置は、貯湯タンク１０および制御装置１００を有する貯湯ユニット１と、上記貯湯ユニット１の貯湯タンク１０内の水を沸き上げるためのヒートポンプユニット５０とを備えている。
【００２０】
上記ヒートポンプユニット５０は、圧縮機５１と水熱交換器５２の一次側通路５２ａと膨脹機構５３と空気熱交換器５４とを環状に接続している。上記水熱交換器５２は一次側通路５２ａを流れる冷媒と、二次側通路５２ｂを流れる水または温水との間で熱交換を行う。
【００２１】
上記ヒートポンプユニット５０は、外気温度を検出する外気温度センサＴ２３を有し、上記空気熱交換器５４には着霜を検出するための温度センサＴ５５を設けている。
【００２２】
また、このヒートポンプユニット５０は、冷媒として炭酸ガス(ＣＯ２)を用いており、出湯温度を例えば６５℃〜９０℃の範囲で制御することが可能である。
【００２３】
一方、上記貯湯タンク１０には、下側から上側に向かって略等間隔に６つの温度センサＴ１〜Ｔ６を設けている。上記貯湯タンク１０の下部には、配管Ｌ１の一端を接続し、配管Ｌ１の他端をポンプ入水弁Ｖ１の一方の入力側に接続している。また、ポンプ入水弁Ｖ１の出力側に配管Ｌ２の一端を接続し、配管Ｌ２の他端をバイパス弁Ｖ２の入力側に接続している。この配管Ｌ２に沸き上げポンプＰ１を配設している。また、バイパス弁Ｖ２の一方の出力側に配管Ｌ３を介してヒートポンプユニット５０の水熱交換器５２の二次側通路５２ｂの一端に接続している。
【００２４】
上記ヒートポンプユニット５０の水熱交換器５２の二次側通路５２ｂの他端を配管Ｌ４の一端に接続し、配管Ｌ４の他端を沸き上げ三方弁Ｖ３の入力側に接続している。また、バイパス弁Ｖ２の他方の出力側に配管Ｌ６の一端を接続し、配管Ｌ６の他端を配管Ｌ４の沸き上げ三方弁Ｖ３側に接続している。
【００２５】
また、上記沸き上げ三方弁Ｖ３の一方の出力側に配管Ｌ５の一端を接続し、配管Ｌ５の他端を貯湯タンク１０の上部に接続している。一方、上記沸き上げ三方弁Ｖ３の他方の出力側に配管Ｌ７の一端を接続し、配管Ｌ７の他端を貯湯タンク１０の下部に接続している。
【００２６】
上記配管Ｌ１〜Ｌ５,Ｌ７とポンプ入水弁Ｖ１とバイパス弁Ｖ２と沸き上げ三方弁Ｖ３で、貯湯タンク１０と沸き上げポンプＰ１とヒートポンプユニット５０の水熱交換器５２とを接続して、沸き上げ回路ＢＣを構成している。
【００２７】
また、上記ヒートポンプユニット５０の水熱交換器５２の二次側通路５２ｂへの往き水の入水温度を検出する温度センサＴ２１を配管Ｌ３に設けている。さらに、上記ヒートポンプユニット５０の水熱交換器５２の二次側通路５２ｂからの戻り湯の出湯温度を検出する出湯温度センサＴ２２を配管Ｌ４に設けている。
【００２８】
なお、図１では、ポンプ入水弁Ｖ１は、配管Ｌ２と配管Ｌ１が連通した状態を示し、バイパス弁Ｖ２は、配管Ｌ２と配管Ｌ３が連通した状態を示し、沸き上げ三方弁Ｖ３は、配管Ｌ４と配管Ｌ７が連通した状態を示している。
【００２９】
この配管Ｌ１のポンプ入水弁Ｖ１よりも貯湯タンク１０側に排水用二方弁２７を配設している。通常、排水用二方弁２７は閉じており、メンテナンスなどにより貯湯タンク１０内の水を排水するとき、排水用二方弁２７を開いて、貯湯タンク１０の下部と排水口とを連通させる。
【００３０】
上記沸き上げポンプＰ１により、貯湯タンク１０内の湯水を、配管Ｌ１,ポンプ入水弁Ｖ１,バイパス弁Ｖ２，ヒートポンプユニット５０の水熱交換器５２の二次側通路５２ｂ,配管Ｌ４,沸き上げ三方弁Ｖ３および配管Ｌ５(またはＬ７)を介して循環させる。
【００３１】
なお、この実施形態では、貯湯タンク１０，ポンプ入水弁Ｖ１,バイパス弁Ｖ２，ヒートポンプユニット５０の水熱交換器５２の二次側通路５２ｂ,沸き上げ三方弁Ｖ３を環状に接続して、沸き上げ回路ＢＣを構成しているが、沸き上げ回路は、図示しないが、少なくとも貯湯タンクと沸き上げポンプと水熱交換器の二次側通路とを環状に接続して構成してもよい。
【００３２】
一方、上記制御装置１００は、マイクロコンピュータと入出力回路などからなり、リモートコントローラ２００との間で送受信を行う。
【００３３】
上記制御装置１００は、目標出湯温度決定部１００ａとタイマー制御部１００ｂとフィードバックポンプ制御部１００ｃとポンプ起動制御部１００ｄとを備え、これらはソフトウェアにより構成されている。
【００３４】
上記目標出湯温度決定部１００ａは、周知のものであるので、以下に簡単に説明する。上記目標出湯温度決定部１００ａは、例えば、過去の同じ一日、同じ時間帯、１週間、季節など毎の貯湯タンク１０から浴槽３，蛇口２６などへの出湯量が多いほど現在の目標出湯温度が高くなるように、過去の同じ一日、同じ時間帯などの出湯量に関連付けて現在の目標出湯温度を予め定められた算式やテーブルなどによって決定する。例えば、過去の出湯量が多い場合、現在の目標出湯温度は例えば８５℃と高くなり、過去の出湯量が少ない場合、現在の目標出湯温度は例えば７０℃と低くなる。上記出湯量は、後記する水量センサ６，２５の積算流量と、湯張り混合弁Ｖ４の開度および給湯混合弁Ｖ５の開度に基づいて求めている。
【００３５】
また、上記フィードバックポンプ制御部１００ｃは、沸き上げ回路ＢＣに設けられた出湯温度センサＴ２２の出力に基づいて、貯湯タンク１０への出湯温度が上記目標出湯温度になるように沸き上げポンプＰ１の回転速度をフィードバック制御する。
【００３６】
また、上記ポンプ起動制御部１００ｄは、上記目標出湯温度が予め定められた閾値以下のときに、上記ヒートポンプユニット５０から貯湯タンク１０への出湯温度を、図３で太い実線で示すように、予め定められた一定時間、目標出湯温度よりも低い第１段温度になるように沸き上げポンプＰ１の回転速度を制御した後、上記目標出湯温度になるように沸き上げポンプＰ１の回転速度を制御する二段起動を行う。また、上記ポンプ起動制御部１００ｄは、目標出湯温度が予め定められた閾値を超えたときに、貯湯タンク１０への出湯温度を、図３で太い破線で示すように、上記ヒートポンプユニット５０から貯湯タンク１０への出湯温度を、最初から上記目標出湯温度になるように沸き上げポンプＰ１の回転速度を制御する一段起動を行う。上記予め定められた一定時間とは、例えば、システムが安定すると想定される時間であって、例えば、シミュレーションまたは何回かの実際の試行によって決定されるのが好ましい。
【００３７】
また、上記タイマー制御部１００ｂは、上記ポンプ起動制御部１００ｄに第１〜第３モードを択一的に設定して動作させる。上記第１モードでは、電力契約体系における夜間、昼間などに関係無く、上記ポンプ起動制御部１００ｄに二段起動と一段起動を行わせる。上記第２モードでは、電力契約体系における夜間においては、上記ポンプ起動制御部１００ｄに二段起動を行なわせないで、過去の湯の使用量に関係無く一段起動を行わせる。上記第３モードでは、電力契約体系における昼間においては、上記ポンプ起動制御部１００ｄに二段起動を行わせないで、過去の湯の使用量に関係無く一段起動を行わせる。
【００３８】
なお、電力契約体系における夜間とは、電力会社が定めているもので、例えば、２３時から７時迄の間である。電力契約体系における昼間とは、例えば、７時から２３時前までの間である。
【００３９】
上記構成の給湯装置において、今、図２に示すように、ポンプ入水弁Ｖ１が配管Ｌ１とＬ２を接続し、バイパス弁Ｖ２が配管Ｌ２とＬ３を接続し、三方弁Ｖ３が配管Ｌ４とＬ５を接続するように、ポンプ入水弁Ｖ１，バイパス弁Ｖ２および三方弁Ｖ３を切り換えて、沸き上げ回路ＢＣを形成して、沸き上げ運転の起動を行うとする。そして、上記タイマー制御部１００ｂは、ポンプ起動制御部１００ｄの第１モードを選択していて、電力契約体系における夜間、昼間などに関係無く、ポンプ起動制御部１００ｄに二段起動と一段起動を行わせることが可能な状態にあるとする。
【００４０】
そうすると、上記ポンプ起動制御部１００ｄは、目標出湯温度決定部１００ａによって、例えば、過去の同じ一日、同じ時間帯などについて過去の出湯量が多いほど現在の目標出湯温度が高くなるように決定された現在の目標出湯温度が予め定められた閾値以下であると判断すると、ヒートポンプユニット５０からの出湯温度を、図３において太い実線で示すように、上記目標出湯温度よりも低い第１段温度に一定時間のあいだ制御した後、上記目標出湯温度に制御する二段起動を行う。このように、二段起動を行うので、ＣＯＰが向上する。
【００４１】
上記出湯温度は、沸き上げ回路ＢＣに設けられた出湯温度センサＴ２２によって検出されて、フィードバックポンプ制御部１００ｃは、出湯温度センサＴ２２の出力に基づいて、貯湯タンク１０への出湯温度が上記目標出湯温度になるように沸き上げポンプＰ１の回転速度をフィードバック制御する。
【００４２】
また、上記二段起動を行うということは、過去の同じ１日、同じ時間帯などの湯の使用量が比較的多くないことを意味するから、その過去の湯の使用量が比較的多くないことを学習して、二段起動を行っても、貯湯量つまり蓄熱量が不足する可能性が少ない。
【００４３】
一方、上記ポンプ起動制御部１００ｄは、目標出湯温度決定部１００ａによって決定された現在の目標出湯温度が予め定められた閾値を超えていると判断すると、ヒートポンプユニット５０からの出湯温度を、図３において太い破線で示すように、最初から目標出湯温度に制御する一段起動を行うので、貯湯量つまり蓄熱量が二段起動をする場合よりも多くなって、湯切れ（貯湯量つまり蓄熱量の不足）が生じることがない。
【００４４】
このように、現在の目標出湯温度が予め定められた閾値を超えたということは、過去の湯の使用量が比較的多いことを意味するから、その過去の湯の使用量が比較的多いことを学習して、貯湯量つまり蓄熱量の多い一段起動を行っているから、湯切れが生じることがない。
【００４５】
このように、上記ポンプ起動制御部１００ｄは、過去の湯の使用量を学習して、過去の湯の使用量に関連して、二段起動と一段起動とを使い分けているので、ＣＯＰを高くしつつ、湯切れを防止できる。
【００４６】
次に、上記タイマー制御部１００ｂが、ポンプ起動制御部１００ｄの第２モードを選択している状態で、沸き上げ回路ＢＣを使用する沸き上げ運転の起動を行うとする。
【００４７】
この第２モードでは、上記タイマー制御部１００ｂが、電力契約体系における夜間においては、ポンプ起動制御部１００ｄに図３において太い実線で示す二段起動を行わせないで、図３において太い破線で示す一段起動を行わせる。
【００４８】
したがって、この第２モードでは、電気料金が安い夜間において貯湯タンク１０に溜める湯（熱量）を多くできて、経済的で、かつ、昼間の湯切れを防止できる。
【００４９】
次に、上記タイマー制御部１００ｂが、ポンプ起動制御部１００ｄの第３モードを選択している状態で、沸き上げ回路ＢＣを使用する沸き上げ運転の起動を行うとする。
【００５０】
この第３モードでは、電力契約体系における昼間においては、ポンプ起動制御部１００ｄに図３において太い実線で示す二段起動を行わせないで、図３において太い破線で示す一段起動を行わせる。
【００５１】
電気料金の高い昼間に湯を沸かすのは緊急にお湯を必要とする場合であるから、この第３モードのように電力契約体系における昼間において、一段起動をするようにすると、緊急時に、比較的多くのお湯（熱量）を溜めることができて、昼間における湯切れの発生を防止できる。
【００５２】
上記実施形態では、目標出湯温度が予め定められた閾値以下であるときに、二段起動を行う一方、目標出湯温度が予め定められた閾値を超えたときに一段起動を行うようにしている。しかし、変形例として、過去の湯の使用量が予め定められた閾値以下のときに、二段起動を行う一方、過去の湯の使用量が予め定められた閾値を超えたときに、一段起動を行うようにしてもよい。目標出湯温度と過去の湯の使用量との間に強い相関関係があるから、この変形例のようにしても、作用、効果は上記実施形態と同様である。
【００５３】
なお、風呂給湯回路、風呂循環回路、風呂追い焚き回路、給湯回路、温度センサ群は、図１に示されているが、この発明の要旨とは、比較的関係が少ないので、以下において簡単に説明する。
【００５４】
＜風呂給湯回路＞
上記貯湯タンク１０の下部に配管Ｌ１１を介して外部の給水口を接続している。この配管Ｌ１１に、ストレーナ１１と、給水管側から貯湯タンク１０側への流れのみを許容する逆止弁１２と、減圧弁Ｖ１０とを上流側から順に配設している。
【００５５】
また、上記貯湯タンク１０の上部に配管Ｌ２１の一端を接続し、配管Ｌ２１の他端を湯張り混合弁Ｖ４の一方の入力側に接続している。上記配管Ｌ２１の湯張り混合弁Ｖ４近傍に、貯湯タンク１０側から湯張り混合弁Ｖ４側への流れのみを許容する逆止弁２１を配設している。
【００５６】
上記湯張り混合弁Ｖ４の他方の入力側に、分岐配管Ｌ１２の一端を接続し、その分岐配管Ｌ１２の他端を、配管Ｌ１１の減圧弁Ｖ１０の上流側に接続している。この分岐配管Ｌ１２の湯張り混合弁Ｖ４近傍に、給水口側から湯張り混合弁Ｖ４への流れのみを許容する逆止弁２２を配設している。
【００５７】
また、上記湯張り混合弁Ｖ４の出力側に配管Ｌ２２の一端を接続し、配管Ｌ２２の他端を、浴槽３に設けられた接続アダプタ９の給湯口９ａに接続している。この配管Ｌ２２には、湯張り混合弁Ｖ４側から順に、湯張り電磁弁Ｖ６と、湯張り混合弁Ｖ４側から浴槽３への流れのみを許容する逆止弁５と、水量センサ６と、湯張り混合弁Ｖ４側から浴槽３への流れのみを許容する逆止弁７を配設している。
【００５８】
上記配管Ｌ２２の逆止弁５と水量センサ６との間に、排水弁Ｖ７が配設された排水配管Ｌ４２の一端を接続している。また、配管Ｌ２１の貯湯タンク１０近傍に、逃がし弁２８が配設された排水配管４１の一端を接続している。
【００５９】
上記湯張り電磁弁Ｖ６と逆止弁５と水量センサ６と逆止弁７で複合水弁３０を構成している。
【００６０】
上記配管Ｌ２１,湯張り混合弁Ｖ４,配管Ｌ２２,複合水弁３０で、貯湯タンク１０と浴槽３との間の風呂給湯回路を構成している。
【００６１】
＜風呂循環回路＞
上記接続アダプタ９の吸水口９ｂに配管Ｌ２４の一端を接続し、配管Ｌ２４の他端を追い焚き熱交換器２０の２次側の入力に接続している。上記配管Ｌ２４に風呂循環ポンプＰ２を配設している。また、配管Ｌ２２の複合水弁３０よりも下流側に分岐配管Ｌ２３の一端を接続し、分岐配管Ｌ２３の他端を追い焚き熱交換器２０の２次側の出力に接続している。
【００６２】
上記風呂循環ポンプＰ２により、浴槽３内の湯水を、配管Ｌ２４,追い焚き熱交換器２０(２次側),分岐配管Ｌ２３および配管Ｌ２２の一部を介して循環させる。
【００６３】
上記配管Ｌ２４,追い焚き熱交換器２０(２次側),分岐配管Ｌ２３,配管Ｌ２２および風呂循環ポンプＰ２で風呂循環回路を構成している。
【００６４】
上記湯張り電磁弁Ｖ６は、風呂循環回路を介して貯湯タンク１０内の温水を浴槽３内に流す経路を開閉する開閉弁である。
【００６５】
＜風呂追い焚き回路＞
また、上記配管Ｌ２２の複合水弁３０よりも上流側に分岐配管Ｌ２５の一端を接続し、分岐配管Ｌ２５の他端を追い焚き熱交換器２０(１次側)の一端に接続している。上記追い焚き熱交換器２０(１次側)の他端に配管Ｌ２６の一端を接続し、配管Ｌ２６の他端をポンプ入水弁Ｖ１の一方の入力側に接続している。
【００６６】
上記配管Ｌ２１,湯張り混合弁Ｖ４,配管Ｌ２２の一部,分岐配管Ｌ２５,追い焚き熱交換器２０(１次側),配管Ｌ２６,ポンプ入水弁Ｖ１,配管Ｌ２,バイパス弁Ｖ２,配管Ｌ６,配管Ｌ４の一部,沸き上げ三方弁Ｖ３,配管Ｌ７および沸き上げポンプＰ１で風呂追い焚き回路を構成している。
【００６７】
＜給湯回路＞        
また、上記貯湯タンク１０の上部に配管Ｌ３１の一端を接続し、配管Ｌ３１の他端を給湯混合弁Ｖ５の一方の入力側に接続している。上記配管Ｌ３１に、貯湯タンク１０側から給湯混合弁Ｖ５への流れのみを許容する逆止弁２３を配設している。
【００６８】
また、配管Ｌ１２の逆止弁２２近傍の給水口側に、分岐配管Ｌ１３の一端を接続し、分岐配管Ｌ１３の他端を給湯混合弁Ｖ５の他方の入力側に接続している。上記分岐配管Ｌ１３の給湯混合弁Ｖ５近傍に、給水口側から給湯混合弁Ｖ５への流れのみを許容する逆止弁２４を配設している。
【００６９】
上記給湯混合弁Ｖ５の出力側に配管Ｌ３２の一端を接続し、配管Ｌ３２の他端を給湯部２６(この実施形態では蛇口)に接続している。上記配管Ｌ３２に水量センサ２５を設けている。
【００７０】
上記配管Ｌ３１,給湯混合弁Ｖ５,配管Ｌ３２,配管Ｌ１１,配管Ｌ１２の一部,配管Ｌ１３で給湯回路を構成している。
【００７１】
＜温度センサ群＞
また、配管Ｌ１２と配管Ｌ１３の接続点近傍の上流側に、給水温度を検出する温度センサＴ１１を設けている。また、給湯部２６に接続された配管Ｌ３２には、水量センサ２５よりも下流側に給湯温度を検出する温度センサＴ１２を設けている。
【００７２】
また、浴槽３に接続された配管Ｌ２４には、浴槽３側の接続アダプタ９と風呂循環ポンプＰ２との間に、水位センサＬＳと、水流センサの一例としての水流スイッチＳＷと、温度センサＴ１３を接続アダプタ９側から順に設けている。
【００７３】
さらに、浴槽３に接続された配管Ｌ２２に分岐配管Ｌ２３が接続された接続点に、浴槽３に供給される湯温を検出する温度センサＴ１４を設けている。
【００７４】
上記実施形態および変形例で述べた構成要素は、適宜、組み合わせてもよく、また、適宜、選択、置換、あるいは、削除してもよいのは、勿論である。
【符号の説明】
【００７５】
１０  貯湯タンク
５０  ヒートポンプユニット
５１  圧縮機
５２  水熱交換器
５２ｂ  二次側通路
５３  膨脹機構
５４  空気熱交換器
１００ａ  目標出湯温度決定部
１００ｂ  タイマー制御部
１００ｃ  フィードバックポンプ制御部
１００ｄ  ポンプ起動制御部
Ｐ１  沸き上げポンプ
ＢＣ  沸き上げ回路
Ｔ２２  出湯温度センサ
【図１】
2018091517.tif 000003
【図２】
2018091517.tif 000004
【図３】
2018091517.tif 000005